(57)【要約】【課題】  エレベータ乗場の周囲などにセンサを取り付ける工事などを行わせることなく、エレベータ乗場の照明設備をオフ状態、または節電状態にさせているときでも、エレベータ乗場に利用者が近づいたとき、各押しボタンの周囲を点灯させて、各押しボタンの位置確認を容易にさせ、使い勝手を大幅に向上させる。【解決手段】  アクリル板３の中央部分にはめ込んだセンサ６によって、利用者が検知されたとき、照明制御回路７によって駆動電圧を生成させて、照明器具６を点灯させ、アクリル板３を背面照明させる。【選択図】      図１
2005280904.tif 000002
【特許請求の範囲】
【請求項１】
エレベータ乗場に設けられ、押圧操作に応じてエレベータの呼び情報を出す押しボタンと、
前記押しボタンと対応する位置に配置され、人が近づいたとき、これを検知して、人検知信号を出力するセンサと、
前記押しボタンと対応する位置に配置される照明器具と、
前記センサから前記人検知信号が出力されているとき、前記照明器具を点灯、または点滅させて、前記押しボタンの周りを照明制御する照明制御回路と、
を備えたことを特徴とする押しボタン装置。
【請求項２】
請求項１に記載の押しボタン装置において、
前記センサは前記押しボタンとともに１つのユニットとして一体化される、
ことを特徴とする押しボタン装置。
【請求項３】
請求項１、２のいずれかに記載の押しボタン装置において、
前記押しボタンは透光性キートップを持ち、この透光性キートップの裏面に前記照明器具が配置される、
ことを特徴とする押しボタン装置。
【請求項４】
請求項１乃至３のいずれか１項に記載の押しボタン装置において、
前記照明制御回路は、前記センサからの人検知信号の出力が停止してから一定時間が経過したとき、あるいは前記押しボタンが押されたとき、前記照明器具を消灯させる、
ことを特徴とする押しボタン装置。
【発明の詳細な説明】
【技術分野】
【０００１】
本発明は、エレベータ乗場などに設けられる押しボタン装置に関する。
【背景技術】
【０００２】
近年、節電意識の高まりなどから、ビル内の使っていない部屋のみならず、廊下、ホール、エレベータ乗場などの照明設備をオフ状態にしていることが多い。
【０００３】
このため、節電意識が高いビル内を移動する際、エレベータ乗場で、エレベータのかごを呼ぶとき、手探りで、押しボタンの位置を確認して、押さなければならないことがあり、使い勝手が良くないという問題があった。
【０００４】
従来、実開平６−７６２６６号公報（特許文献１）に開示された「エレベータ出入口照明装置」が知られている。この従来技術は、三方枠の下部左右にそれぞれ照明装置を設け、呼び登録後、乗客がエレベータかごに乗り込むまで、照明装置によって乗客の足元を照らすようにしたものである。また、他の従来技術として、特開平８−１５１１７５号公報（特許文献２）に開示された「エレベータの行先階照明制御装置」も知られいてる。この従来技術は、各階のエレベータ乗場にその階の照明灯のスイッチを照らすスポットライトを設け、照明灯が消灯され、かつ乗り場ボタンの押圧が検知されたとき、スポットライトを所定時間点灯させるようにしたものである。
【特許文献１】実開平６−７６２６６号公報
【特許文献２】特開平８−１５１１７５号公報
【発明の開示】
【発明が解決しようとする課題】
【０００５】
しかしながら、特許文献１に記載の従来技術では、呼び登録後、乗客がエレベータかごに乗り込むまで足元を照らす構成であるため、呼びを登録前には照明装置は動作せず、暗い場所で押しボタンを探す不便さを解消することはできない。
【０００６】
また、特許文献２に記載の従来技術では、エレベータ乗場の照明灯が消灯された後も、人が来てエレベータかご内に乗るまではスポットライトは点灯し続けるので、節電効果はほとんど期待できない。また、エレベータ乗場に通常の照明灯以外に、別途、スポットライトを増設せねばならず、施設構成が複雑になってしまうという問題があった。
【０００７】
本発明は上記の事情に鑑み、エレベータ乗場の照明設備をオフ状態、または節電状態にさせているときでも、エレベータ乗場に利用者が近づいたとき、押しボタンの周りを点灯、または点滅させて、押しボタンの位置確認を容易にさせ、使い勝手を大幅に向上させることができる押しボタン装置を提供することを目的としている。
【課題を解決するための手段】
【０００８】
上記の目的を達成するために本発明は、請求項１では、エレベータ乗場に設けられ、押圧操作に応じてエレベータの呼び情報を出す押しボタンと、前記押しボタンと対応する位置に配置され、人が近づいたとき、これを検知して、人検知信号を出力するセンサと、前記押しボタンと対応する位置に配置される照明器具と、前記センサから前記人検知信号が出力されているとき、前記照明器具を点灯、または点滅させて、前記押しボタンの周りを照明制御する照明制御回路とを備えたことを特徴としている。
【０００９】
請求項２では、請求項１に記載の押しボタン装置において、前記センサは前記押しボタンとともに１つのユニットとして一体化されることを特徴としている。
【００１０】
請求項３では、請求項１、２のいずれかに記載の押しボタン装置において、前記押しボタンは透光性キートップを持ち、この透光性キートップの裏面に前記照明器具が配置されることを特徴としている。
【００１１】
請求項４では、請求項１乃至３のいずれか１項に記載の押しボタン装置において、前記照明制御回路は、前記センサからの人検知信号の出力が停止してから一定時間が経過したとき、あるいは前記押しボタンが押されたとき、前記照明器具を消灯させることを特徴としている。
【発明の効果】
【００１２】
本発明によれば、エレベータ乗場の照明設備をオフ状態、または節電状態にさせているときでも、エレベータ乗場に利用者が近づいたとき、押しボタンの周りを点灯、または点滅させて、押しボタンの位置確認を容易にさせ、使い勝手を大幅に向上させ、かつ消費電力を低減させて節電効果を期待できる押しボタン装置を提供できる。
【発明を実施するための最良の形態】
【００１３】
図１は本発明による押しボタン装置の第１の実施形態を示す正面図である。
【００１４】
この図に示す押しボタン装置１ａは、エレベータ乗場に設けられた三方枠の近傍などに配置されるフェースプレート２と、フェースプレート２にはめ込まれる乳白色のアクリル板３と、アクリル板３の裏面側に配置され、駆動電圧が供給されているとき、点灯して、裏側からアクリル板３を照明する照明器具４と、アクリル板３の上部側、下部側に各々、はめ込まれ、利用者によって押されたとき、呼び情報を生成する複数の押しボタン５と、アクリル板３の中央部分にはめ込まれた超音波センサ、赤外線センサ、光学センサなどによって構成され、エレベータ乗場に利用者が居るとき、これを検知して利用者検知信号を生成するセンサ６と、図２のブロック図に示すように、センサ６の検知結果に応じて、照明器具４を点灯、または消灯させる照明制御回路７とを備えている。
【００１５】
そして、図３のフローチャートに示すように、エレベータ乗場に利用者が近づき、センサ６によって、これが検知されたとき（ステップＳ１）、照明制御回路７によって、照明器具４を点灯させて、アクリル板３を背面照光させ、利用者に各押しボタン５の位置を視認させるとともに、これら各押しボタン５のいずれかが押されたとき、押された押しボタン５から呼び情報が出力され、運行制御装置に供給される（ステップＳ２）。
【００１６】
また、利用者がエレベータのかごなどに乗り込んだり、エレベータを利用することなく立ち去ったりして、エレベータ乗場に利用者が居なくなり、センサ６から利用者検知信号が出力されない状態が一定時間続いたとき（ステップＳ３）、照明制御回路７によって、照明器具４が消灯され、アクリル板３の背面照光が停止される（ステップＳ４）。
【００１７】
このように、第１の実施形態では、アクリル板３の中央部分にはめ込んだセンサ６によって、利用者が検知されたとき、照明制御回路７によって駆動電圧が生成され、照明器具６が点灯され、アクリル板３を背面照明させるようにしているので、エレベータ乗場の周囲などにセンサを取り付ける工事などを行わせることなく、エレベータ乗場の照明設備がオフ状態、または節電状態であるときでも、エレベータ乗場に利用者が近づいたとき、各押しボタン５の周囲を点灯させて、各押しボタン５の位置確認を容易にさせ、使い勝手を大幅に向上させることができる。
【００１８】
また、第１の実施形態では、エレベータ乗場に居た利用者がかごに乗り込んだり、エレベータを利用することなく立ち去ったりして、エレベータ乗場に利用者が居なくなり、センサ６から利用者検知信号が出力されない状態が一定時間続いたとき、照明制御回路７によって、照明器具４を消灯させ、アクリル板３の背面照光を停止させるようにしているので、利用者がエレベータ乗場から立ち去ったとき、各押しボタン５の周りを照明している照明器具７を消灯させて、消費電力を低く抑えることができる。
【００１９】
《第２の実施形態》
第１の実施形態では、アクリル板３に２つの押しボタン５が取り付けられた押しボタン装置１ａを例にして、本発明による押しボタン装置を説明しているが、図４に示すように、押しボタン５が１つしかない押しボタン装置１ｂに、アクリル板３ｂを背面照光する照明器具４と、利用者を検知するセンサ６と、センサ６の検知結果に基づいて、照明器具４を点灯、消灯させる照明制御回路７とを設けるようしても良い。
【００２０】
このようにしても、上述した実施形態と同様に、エレベータ乗場の周囲などにセンサを取り付ける工事などを行わせることなく、エレベータ乗場の照明設備をオフ状態、または節電状態にさせているときでも、エレベータ乗場に利用者が近づいたとき、押しボタン５の周囲を点灯させて、押しボタン５の位置確認を容易にさせ、使い勝手を大幅に向上させることができる。
【００２１】
《第３の実施形態》
図５は本発明による押しボタン装置の第３の実施形態を示す正面図である。
【００２２】
この図に示す押しボタン装置１ｃは、エレベータ乗場に設けられた三方枠の近傍などに配置されるフェースプレート１１と、このフェースプレート１１の上部側にはめ込まれ、かごの現在位置、運転方向などを表示するかご位置ポジション灯１２と、透光性部材によって構成されるキートップ１３を持ち、フェースプレート１１の下部側にはめ込まれ、利用者により押されたとき、呼び情報を生成する押しボタン１６と、押しボタン１６内に配置される照明器具１４と、フェースプレート１１の下部側にはめ込まれ、エレベータ乗場に利用者が居るとき、これを検知して利用者検知信号を生成するセンサ１５と、フェースプレート１１の裏側に配置され、図６のブロック図に示すように、センサ１５の検知結果に応じて、駆動電圧を断続的に生成し、押しボタン１６内の照明器具１４を点滅させる照明制御回路１７とを備えている。
【００２３】
そして、図７のフローチャートに示すように、エレベータ乗場に利用者が近づき、センサ１５によって、これが検知されたとき（ステップＳ１１）、照明制御回路１７によって、照明器具１４が断続的に駆動されて、押しボタン１６のキートップ１３が点滅され、利用者に押しボタン１６の位置を視認させるとともに、押しボタン１６が押されたとき、押しボタン１６から呼び情報が出力されて運行制御装置に供給される（ステップＳ１２）。
【００２４】
また、利用者がエレベータのかごなどに乗り込んだり、エレベータを利用することなく立ち去ったりして、エレベータ乗場に利用者が居なくなり、センサ１５から利用者検知信号が出力されない状態が一定時間続いたとき（ステップＳ１３）、照明制御回路１７によって、照明器具１４が消灯され、押しボタン１６の点滅が停止される（ステップＳ１４）。
【００２５】
このように、第３の実施形態では、フェースプレート１１にはめ込んだセンサ１５によって、利用者が検知されたとき、照明制御回路１７によって、照明器具１４を断続的に駆動させ、押しボタン１６のキートップ１３を点滅させるようにしているので、エレベータ乗場の周囲などにセンサを取り付ける工事などを行わせることなく、エレベータ乗場の照明設備をオフ状態、または節電状態にさせているときでも、エレベータ乗場に利用者が近づいたとき、押しボタン１６自体を点滅させて、押しボタン１６の位置確認を容易にさせ、エレベータの使い勝手を大幅に向上させることができる。
【００２６】
また、第３の実施形態では、エレベータ乗場に居た利用者がかごに乗り込んだり、エレベータを利用することなく立ち去ったりして、エレベータ乗場に利用者が居なくなり、センサ１５から利用者検知信号が出力されない状態が一定時間続いたとき、照明制御回路１７によって、照明器具１４を消灯させ、キートップ１３の点滅を停止させるようにしているので、エレベータ乗場に居た利用者がかごに乗り込んだり、エレベータを利用することなく立ち去ったりしたとき、押しボタン１６自体を点滅させている照明器具１４を消灯させて、消費電力を低く抑えることができる。
【００２７】
《第４の実施形態》
上述した各実施形態では、エレベータ乗場に利用者が近づいてきたとき、アクリル板３、３ｂにはめ込まれたセンサ６、またはフェースプレート１１にはめ込まれたセンサ１５によって、これを検知させるようにしているが、このようなアクリル板３、３ｂまたはフェースプレート１１以外の部分、例えば図８に示すように、エレベータ乗場２１に設けられた三方枠２２の近傍などに複数のセンサ２３を配置させ、エレベータ乗場２１に利用者が近づいてきたとき、各センサのいずれかによって、これを検知して、照明器具４などを点灯、または点滅させて、アクリル板３を背面照光させるようにしても良い。
【００２８】
これにより、広い検知範囲を確保させて、利用者がエレベータ乗場に近づこうとしている、かなり前から、アクリル板３を背面照明させて、周囲の照明が消灯させられているときにも、エレベータ乗場の位置、押しボタン５の位置を認識させることができる。
【００２９】
また、上述した各実施形態では、センサ６、１５、２３が利用者を検知しなくなってから一定時間が経過したとき、照明器具４、１４を消灯させるようにしているが、センサ６、１５、２３が利用者を検知しても、押しボタン５、１６が押された時点で、照明器具４、１４を消灯させるようにしても良い。
【００３０】
このようにしても、上述した各実施形態と同様に、押しボタン５、１６の操作性を向上させながら、エレベータの省エネルギー化を達成させることができる。
【図面の簡単な説明】
【００３１】
【図１】本発明による押しボタン装置の第１の実施形態を示す正面図。
【図２】図１に示す押しボタン装置の回路構成例を示すブロック図。
【図３】図１に示す押しボタン装置の動作例を示すフローチャート。
【図４】本発明による押しボタン装置の第２の実施形態を示す正面図。
【図５】本発明による押しボタン装置の第３の実施形態を示す正面図。
【図６】図５に示す押しボタン装置の回路構成例を示すブロック図。
【図７】図５に示す押しボタン装置の動作例を示すフローチャート。
【図８】本発明による押しボタン装置の第４の実施形態を示す正面図。
【符号の説明】
【００３２】
１ａ、１ｂ、１ｃ、：押しボタン装置
２：フェースプレート
３：アクリル板
４、１４：照明器具
５、１６：押しボタン
６、１５、２３：センサ
７、１７：照明制御回路
１１：フェースプレート
１２：かご位置ポジション灯
１３：キートップ
２１：エレベータ乗場
２２：三方枠
【図１】
2005280904.tif 000003
【図２】
2005280904.tif 000004
【図３】
2005280904.tif 000005
【図４】
2005280904.tif 000006
【図５】
2005280904.tif 000007
【図６】
2005280904.tif 000008
【図７】
2005280904.tif 000009
【図８】
2005280904.tif 000010